(57)【要約】【課題】  クリップの全体を二つの樹脂成形素材から成形することにより、成形材料の少量化、組立工程の簡素化を図り、設備投資を抑制し得る樹脂製クリップの提供。【解決手段】  樹脂製のクリップ本体１とクリップ操作体２とからなり、何れか一方が両側にピン係合孔１１を有する突起１３を備え、他方が両側に係合ピン２１を備え、両部材１，２の一方か両方が側面視くの字形に形成され、これら両部材１，２の一方か両方が基部３１から背面側に向かって斜め方向に突出する弾性片３０を備え、両部材１，２の何れか一方が連接部４１を下側にして上方に向かって開口４２するフック体４０を備え、前記ピン係合孔１１と係合ピン１２との係合姿勢において、弾性片３０が両部材１，２間に位置し、他方の部材１，２の上半部１４，２４と接当して挟持部１５，２５を弾性的に圧接させる構造とされているもの。【選択図】      図１
2006316952.tif 000002
【特許請求の範囲】
【請求項１】
樹脂製のクリップ本体１と、同じく樹脂製のクリップ操作体２との二つの成形部材からなり、これら両部材１，２の何れか一方が長手方向ほぼ中間部の両側にピン係合孔１１，１１を有する突起１３，１３または係合ピン１２，１２を備え、何れか他方が長手方向ほぼ中間部の両側に前記ピン係合孔１１，１１と係合する係合ピン２１，２１または前記係合ピン１２，１２と係合するピン係合孔２２，２２を有する突起２３，２３を備え、かつ、これら両部材１，２の何れか一方が平板状で他方が側面視くの字形に形成されているか、双方１，２が側面視くの字形に形成され、更に、これら両部材１，２の何れか一方
または両方
が基部３１から背面側に向かって斜め方向に突出する弾性片３０を備え、更には、これら両部材１，２の何れか一方が連接部４１を下側にして上方に向かって開口４２するフック体４０を備え、前記ピン係合孔１１，２２と係合ピン１２，２１との係合姿勢において、前記弾性片３０が両部材１，２間に位置し、他方の部材１，２の上半部１４，２４と接当し両部材１，２における下方の挟持部１５，２５を弾性的に圧接させ、前記フック体４０が外側に向かって突出する構造とされている樹脂製クリップ。
【請求項２】
樹脂製のクリップ本体１と、同じく樹脂製のクリップ操作体２との二つの成形部材からなり、これら両部材１，２の何れか一方が長手方向ほぼ中間部の両側にピン係合孔１１，１１を有する突起１３，１３を備え、何れか他方が長手方向ほぼ中間部の両側に前記ピン係合孔１１，１１と係合する係合ピン２１，２１を備え、かつ、前記クリップ本体１がほぼ平板状で前記クリップ操作体２が側面視くの字形に形成され、更に、前記クリップ本体１が基部３１から背面側に向かって斜め上方向に突出する弾性片３０を備え、更には、該クリップ本体１が該弾性片３０の突出方向の面とは反対側の面において下端を連接部４１として上方に向かって開口４２するフック体４０を備え、前記ピン係合孔１１と係合ピン２１との係合姿勢において、前記弾性片３０がクリップ操作体２の上半部と接当し、両部材１，２における下方の挟持部１５，２５を弾性的に圧接させ、前記フック体４０が外側に向かって突出する構造とされている樹脂製クリップ。
【請求項３】
クリップ体１，２が、セルロース，リグニン，トーモロコシや芋類から形成した植物澱粉などを主原料とした天然高分子系の生分解性プラスチック、微生物が生産した有機酸を利用した微生物系の生分解性プラスチック、アミノ酸，糖，ポリエステルなどの原料を醗酵させたバイオケミカル高分子系の生分解性プラスチックの何れかによって成形したものである請求項１または２に記載の樹脂製クリップ。
【発明の詳細な説明】
【技術分野】
【０００１】
本発明は、二つの樹脂成形部材のみによって成形されたクリップに関するものである。
【背景技術】
【０００２】
従来から、書類等の物品挟持用や携帯電話等の落下防止ために使用するクリップ、例えば、コイルばね等を使用しそのバネの力を利用した洗濯バサミ形としたクリップや、金属板を略コの字型や略Ｕの字形に加工して金属復元弾力性を利用したクリップや、樹脂成形素材と金属バネを組み合わせたクリップ等が開発され使用されている。
【０００３】
樹脂成形品を主体としたクリップの例として、例えば、特開２００１−５０２１９号公報には、弾性力を利用するために板バネ１４を利用したクリップが、また、特開平６−２７８８７号公報には、衣服等への取り付け部材として金属製ゼムクリップ２１を使用する樹脂製クリップが開示されている。
【特許文献１】特開２００１−５０２１９
【特許文献２】特開平６−２７８８７
【発明の開示】
【発明が解決しようとする課題】
【０００４】
しかしながら、これら何れのクリップも、金属製品を必要とすることのみならず、クリップを構成する部品点数が多く、成形単価が高く、組み立てが複雑で多くの人手と時間を必要とするものとなっていた。そのため、当然市場価格が高くなり、ディスプレイ用とか価格表示用等の営業用に使用されることが多く、一時使用ではなく、長期使用を目的としたものとなっていた。
【０００５】
しかしながら、このようなクリップは、全てが長期使用を目的としたものばかりではなく、例えば、各種のイベント会場や集会場・展示会場等への入場者に配布して、法人名や個人名を記載した名札を吊り下げてもらうために使用するクリップもあり、当該会場からの退場時には出入り口の内外で関係者が回収しそのまま廃棄処分するという、一時使用に供されるクリップもある。
【０００６】
そこで、本発明は、金属を使用しないで樹脂素材のみによって製造し、好ましくは廃棄後に地中埋設処分としたとき、容易に生分解する樹脂素材を用いて製造することにより、また、構成部品点数を２個という最小限構成のものとすることによって、設備投資のコストを抑制し、組み立て工程を簡素化させることができる樹脂製クリップを提供しようとするものである。
【課題を解決するための手段】
【０００７】
この目的を達成するために講じた本発明にいうところの樹脂製クリップの構成を、実施例を示す図面に使用した共通の符号を用いて説明すると、請求項１に記載した第１の構成は、樹脂製のクリップ本体１と、同じく樹脂製のクリップ操作体２との二つの成形部材からなり、これら両部材１，２の何れか一方が長手方向ほぼ中間部の両側にピン係合孔１１，１１を有する突起１３，１３または係合ピン１２，１２を備え、何れか他方が長手方向ほぼ中間部の両側に前記ピン係合孔１１，１１と係合する係合ピン２１，２１または前記係合ピン１２，１２と係合するピン係合孔２２，２２を有する突起２３，２３を備え、かつ、これら両部材１，２の何れか一方が平板状で他方が側面視くの字形に形成されているか、双方１，２が側面視くの字形に形成され、更に、これら両部材１，２の何れか一方または両方が基部３１から背面側に向かって斜め方向に突出する弾性片３０を備え、更には、これら両部材１，２の何れか一方が連接部４１を下側にして上方に向かって開口４２するフック体４０を備え、前記ピン係合孔１１，２２と係合ピン１２，２１との係合姿勢において、前記弾性片３０が両部材１，２間に位置し、他方の部材１，２の上半部１４，２４と接当し両部材１，２における下方の挟持部１５，２５を弾性的に圧接させ、前記フック体４０が外側に向かって突出する構造としたものである。
【０００８】
また、請求項２に記載した第２の構成は、樹脂製のクリップ本体１と、同じく樹脂製のクリップ操作体２との二つの成形部材からなり、これら両部材１，２の何れか一方が長手方向ほぼ中間部の両側にピン係合孔１１，１１を有する突起１３，１３を備え、何れか他方が長手方向ほぼ中間部の両側に前記ピン係合孔１１，１１と係合する係合ピン２１，２１を備え、かつ、前記クリップ本体１がほぼ平板状で前記クリップ操作体２が側面視くの字形に形成され、更に、前記クリップ本体１が基部３１から背面側に向かって斜め上方向に突出する弾性片３０を備え、更には、該クリップ本体１が該弾性片３０の突出方向の面とは反対側の面において下端を連接部４１として上方に向かって開口４２するフック体４０を備え、前記ピン係合孔１１と係合ピン２１との係合姿勢において、前記弾性片３０がクリップ操作体２の上半部と接当し、両部材１，２における下方の挟持部１５，２５を弾性的に圧接させ、前記フック体４０が外側に向かって突出する構造としたものである。
【０００９】
請求項３として記載した補助的な構成は、クリップ体１，２を、セルロース，リグニン，トーモロコシや芋類から形成した植物澱粉などを主原料とした天然高分子系の生分解性プラスチック、微生物が生産した有機酸を利用した微生物系の生分解性プラスチック、アミノ酸，糖，ポリエステルなどの原料を醗酵させたバイオケミカル高分子系の生分解性プラスチックの何れかによって成形した易生分解性製品としたことである。
【発明の効果】
【００１０】
本発明にいう請求項１に記載の樹脂製クリップにあっては、クリップとしての挟持力を得るための金属部材を一切使用することなく、樹脂成形品としてのクリップ本体１と同じく樹脂成形品としてのクリップ操作体２の二つの成形部材によって形成したものであり、これら二つの樹脂成形品の一方または両方に弾性力を発生させるための弾性片を一体的に備えているものとすることによって、そしてこの弾性片をこれら二つの成形部材間に位置させて互いの接近を阻止する働きをさせることによって、二つの部材自体でクリップとしての弾発挟持力を得ることができるという顕著な効果を期待することができるに至ったのである。また、構成部品の点数が僅かに２個という最小限構成のものとしてあるので、設備投資のコストを抑制し、組み立てのための時間の短縮と工程の簡素化を図ることができるに至ったのである。そのため、一回きりの一時使用であっても充分に使用可能な低コストで市場に提供できるという優れた利点をも期待できるに至ったのである。
【００１１】
また、請求項２に記載の樹脂製クリップにあっても、同様に、二つの樹脂成形部材からなり、金属製品を一切使用しないので、前記のクリップと同様の効果を有すると同時に、水分等による錆の発生を配慮することなくどこでも使用することができるという優れた効果をも有しているものである。
【００１２】
また、請求項３に記載の樹脂製クリップにあっては、クリップ体１，２の製造素材を、セルロース，リグニン，トーモロコシや芋類から形成した植物澱粉などを主原料とした天然高分子系の生分解性プラスチック、微生物が生産した有機酸を利用した微生物系の生分解性プラスチック、アミノ酸，糖，ポリエステルなどの原料を醗酵させたバイオケミカル高分子系の生分解性プラスチックのような易生分解性製品としたことによって、廃棄後に地中埋設処分に付しても容易に生分解するので、各種のイベント会場や集会場・展示会場等への入場者に入場時に配布し、入場者の法人名や個人名を記載した名札を吊り下げてもらって使用し、当該会場からの退場時には出入り口の付近で関係者が回収しそのまま廃棄処分するという一時使用に供することもできるという従来にはなかった顕著な効果を期待できるのである。
【発明を実施するための最良の形態】
【００１３】
本発明にいうところの樹脂製クリップを実施するに当たっては、後述するように、二つのクリップ体１，２の一方に形成した、ピン係合孔１１，１１を備えた二つの突起１３，１３どうしの対向する面の上半部を斜めカット１６，１６して突起１３，１３の先端側程肉厚が薄くなる形状としたり、係合ピン２１，２１の突起１３，１３と対向する先端部を斜めカット２６，２６してあるものとして実施することができる。このことによって、両クリップ体１，２のピン係合孔１１，１１と係合ピン２１，２１との組立て操作を、突起１３，１３の斜めカット１６，１６の面に対して係合ピン２１，２１の斜めカット２６，２６の面を当て付けて押圧するという極めて単純なワンタッチ操作によって完了させることができるという点で好ましい。
【実施例】
【００１４】
以下本発明の実施例を図面に基づいて説明する。図１〜図５は本願発明の第１実施例の樹脂製クリップを示す図であって、図１は組立状態の背面側を示した斜視図、図２はその分離状態を示した斜視図、図３は組立状態の正面側を示した図、図４はその背面側を示した図、図５は同左側の状態を示した図である。また、図６は使用状態を例示した正面図である。
【００１５】
該第１実施例に示した樹脂製クリップは、トーモロコシや芋類から生成した植物澱粉を主原料として乳酸菌を混合して得た天然高分子系の生分解性プラスチックを成型素材として、クリップ本体１とクリップ操作体２の二つの成形部材を、例えば射出成形機のような樹脂成形手段によって成形する。
【００１６】
このクリップ本体１は、図にみられるように、上下長の長方形とした板状体であって、図６にみられるように、首掛け用の吊下げリボンｒを通す横長穴５０を上部に備え、中程から上方部分にかけて正面視上下逆Ｕ字形の切り溝３２を有し、その内部の爪状部分が、図５のように、基部３１から背面側に向かって斜め上方に突出する  弾性片３０としてある。また、下方部分には、下端部４１から前面側に突出した後上方に向かって突出するフック体４０を備え、更に、背面側において、上下方向ほぼ中間部分の左右両側に背面側に向かって突出する板状の突起１３，１３を備え、そのほぼ中央部分に厚さ方向に貫通するピン係合孔１１，１１が形成されている。また、これらの突起１３，１３は、突起１３，１３どうしの対向面の上半部を上側ほど薄肉となるように斜めカット１６，１６してある。即ち、両突起１３，１３どうしの対向面間の間隔が上側ほど広くなるようにしてある。
【００１７】
また、この実施例に示したクリップ操作体２は、左右幅をクリップ本体１よりも少し細幅とし、上下を円弧状とした上下長の長円形板状体であって、図５のように、上下方向ほぼ中間部を屈曲点として側面視で略くの字形に形成してあり、この屈曲点の両側に横幅方向の外側に向かって、即ち、図において左右方向の外側に向かって突出する係合ピン２１，２１を形成してある。そして、この係合ピン２１，２１も前記突起１３，１３と対向する面の先端部を斜めカット２６，２６して、先端側ほど薄肉となる傾斜面を備えているものとしてある。
【００１８】
このような構造としてあるクリップ本体１とクリップ操作体２とを組み付けるには、図２に示したように、クリップ本体１の背面側に突出させた突起１３，１３の斜めカット１６，１６してあるカット面に対して、クリップ操作体２の係合ピン２１，２１の斜めカット２６，２６してあるカット面を当て付けて上方からクリップ操作体２を押圧するという操作によって、カット面どうしが接当して突起１３，１３を瞬間的に押し広げながらピンが押し込まれてピン係合孔１１，１１の部分に至ると突起１３，１３の復元力によってピン係合孔１１，１１と自動的に嵌合することとなる。このように、クリップ本体１に対するクリップ操作体２の押し付けという極めて単純なワンタッチ操作によって、図１に示したように、両クリップ体１，２の組み付けを完了させることができる。
【００１９】
この組み付け状態において、クリップ本体１から背面側に向かって斜め上方向に突出させてある弾性片３０が、この実施例では図５に示したクリップ操作体２のクリップ本体１側の面に形成した接当突部３３と、弾性的に初期応力が付与された状態で接当する。このことによって、クリップ本体１とクリップ操作体２とは、常時その下方部分１５，２５が弾性的に圧接し挟持力を付与された状態を維持する。
【００２０】
このようにしたクリップを使用する例としては、図６に示したように、クリップ本体１の上方部分に形成してある横長穴５０に首掛け用の吊下げリボンｒを通し、下方のに突出させたフック体４０にネームカードＣの切り抜き穴ｃを通して吊り下げ状とし、首から吊り下げて使用することができる。
【００２１】
図７乃至図９は本願発明にいうところの樹脂製クリップの第２実施例を示したものであって、このクリップは前記第１実施例に示したクリップ本体１の形状を、首掛け用の吊下げリボンｒを通す穴５０を備えていないものとし、上下長さを少し小さくした実施例について示したものである。また、この実施例に示したクリップの弾性片３０は、図９に示したように、弾性片３０がその上端部に背面側に向かって突出する接当突部３３を備えている構造としたものである。その他の構造については、前記第１実施例に準じた構造としたものである。
【００２２】
本願発明にいうところの樹脂製クリップは、このような構造として実施することができるものであって、図示は省略するが、使用に当たって下方前面のフック体４０に、例えば携帯電話機のストラップを吊り下げ、クリップを洋服やシャツの胸ポケットに取り付けて係止しておくことによって、胸ポケット等から電話機等が滑り落ちようとした場合でも、クリップによって、落下を未然に防止できるようにして使用することができる。
【００２３】
図１０，１１及び１２の一部は、クリップ本体１の変形例について示したもので、ここに示したクリップ本体１は、フック体４０に対応するクリップ本体１の壁面に貫通穴４３を形成してフック体４０の背面側を金型成形することによって表裏の二面型で成形できる構造としたものである。
【００２４】
図１２及び図１３は、第３実施例及び第４実施例のクリップを示したものであって、図１２のクリップは、弾性片３０の側面視形状を弧状とし、その先端部をクリップ操作体２に接当する接当突部３３としたものであり、図１３に示したクリップは、弾性片３０のクリップ本体１からの背面側への突出角度を、組立姿勢におけるクリップ操作体２の上半部の傾斜角よりも大きい角度とし、その先端部をクリップ操作体２に接当する接当突部３３としたものであ
【００２５】
図１４乃至図１６は、本願発明にいうところの樹脂製クリップの第５実施例を示したもので、クリップ本体１の形状とクリップ操作体２の形状とを同形同大の縦長長方形状のものとし、クリップ本体１がその長手方向ほぼ中間部の両側に横外側に向かって突出する係合ピン１２，１２を備え、クリップ操作体２が長手方向ほぼ中間部の両側に該係合ピン１２，１２と係合するピン係合孔２２，２２を有する突起２３，２３をクリップ本体１側に向かって突出させてある構造としたものである。また、該実施例に示したクリップは、クリップ操作体２側からクリップ本体１に向かって斜め上方に向かって突出する弾性片３０を備えているものとし、その上端にクリップ本体１側に向かって突出する接当突部３３を有するものとしたものである。
【００２６】
図１７、１８，１９及び２０は、それぞれ第６，第７，第８及び第９実施例のクリップを示したものであって、図１７に示したクリップは、クリップ本体１とクリップ操作体２とを共に側面視形状において、上下方向中間部から屈曲し上半部が外広がりとなるくの字形に形成してある構造としたものであり、その他の構造は前記第５実施例と同様の構造としたものである。
【００２７】
図１８に示したクリップは、クリップ本体１とクリップ操作体２との両方から斜め上方に向かって突出する弾性片３０，３０を備えたものとし、その上端部分どうしが互いに接当する構造としたものであり、図１９に示したクリップは、両体１，２から斜め上方に向かって突出した弾性片３０，３０がそれぞれ上端部に互いに相手方の方向に突出する突出端部を有している構造としたものである。
【００２８】
更に、図２０に示したクリップは、弾性片３０を、クリップ操作体２側から（クリップ本体１側からでもよい）上側を連接基点として一旦下降した後折り返して上昇する形状、即ち側面視で略Ｕ字形若しくはＶ字形となる弾性片３０をクリップ操作体２と一体的に連接形成してある構造としたものである。そして、このＵ字形若しくはＶ字形とした弾性片３０の遊端側の上端部がクリップ本体１の背面と接触するようにしたものである。このようにすることによって、クリップ操作体２と連接する基点部分から折り返した後の遊端側上端部までの弾性片３０の全体が弾性反発体として作用するようにしたものである。
【００２９】
以上本発明の代表例と思われる実施例について説明したが、本発明の樹脂製クリップはこれらの各実施例構造のもののみに限定されるものではなく、本発明にいう構成要件を備え、本発明にいう目的を達成し、本発明にいう効果を有する範囲内において適宜改変して実施することができるものである。
【産業上の利用可能性】
【００３０】
本発明の樹脂製クリップは、最低部材としての二つの成形部材のみによって形成してあるので、極めて廉価に市場に提供できるため、使い捨てのクリップとして重宝に使用することができ、市場において大いに注目され利用されるものと思われる。
【図面の簡単な説明】
【００３１】
【図１】第１実施例のクリップの背面側を示す斜視図。
【図２】同クリップの分解状態を示す斜視図。
【図３】同クリップの正面図。
【図４】同クリップの背面図。
【図５】同クリップの側面図。
【図６】同クリップの使用状態を示す正面図。
【図７】第２実施例のクリップを示す正面図。
【図８】同クリップの背面図。
【図９】同クリップの側面図。
【図１０】第１実施例におけるクリップ本体の変形例を示す正面図。
【図１１】同クリップ本体の背面図。
【図１２】第３実施例のクリップを示す一部破断側面図。
【図１３】第４実施例のクリップを示す側面図。
【図１４】第５実施例のクリップを示す正面図。
【図１５】同クリップの背面図。
【図１６】同クリップの側面図。
【図１７】第６実施例のクリップを示す側面図。
【図１８】第７実施例のクリップを示す側面図。
【図１９】第８実施例のクリップを示す側面図。
【図２０】第９実施例のクリップを示す一部破断側面図。
【符号の説明】
【００３２】
１  クリップ本体
１１  ピン係合孔
１２  係合ピン
１３  突起
１４  上半部
１５  挟持部
２  クリップ操作体
２１  係合ピン
２２  ピン係合孔
２３  突起
２４  上半部
２５  挟持部
３０  弾性片
３１  基部
４０  フック体
４１  連接部
４２  開口
【図１】
2006316952.tif 000003
【図２】
2006316952.tif 000004
【図３】
2006316952.tif 000005
【図４】
2006316952.tif 000006
【図５】
2006316952.tif 000007
【図６】
2006316952.tif 000008
【図７】
2006316952.tif 000009
【図８】
2006316952.tif 000010
【図９】
2006316952.tif 000011
【図１０】
2006316952.tif 000012
【図１１】
2006316952.tif 000013
【図１２】
2006316952.tif 000014
【図１３】
2006316952.tif 000015
【図１４】
2006316952.tif 000016
【図１５】
2006316952.tif 000017
【図１６】
2006316952.tif 000018
【図１７】
2006316952.tif 000019
【図１８】
2006316952.tif 000020
【図１９】
2006316952.tif 000021
【図２０】
2006316952.tif 000022